(57)【特許請求の範囲】
【請求項１】
電気絶縁性材料から成り、略円筒状で周方向に分断される中空のカバー本体と、
電気絶縁性材料から成り、カバー本体の周方向両端部付近に連なってカバー本体の半径方向外方に延びる２つの脚部と、
前記カバー本体の接線方向であって、かつ各脚部の延びる方向とほぼ同一の方向に延びる基部と、前記基部に連なり、カバー本体から離反するにつれて相互に近接する方向に、外方に凸に弯曲して形成される遊端部とから成り、かつ電気絶縁性材料から成り、前記カバー本体および各脚部の厚みよりも小さい厚みを有し、少なくともカバー本体と各脚部とが連なる部分を覆う補助壁部とを含み、
前記補助壁部は、前記遊端部において前記基部から最も離反する先端部分が、各脚部において前記カバー本体に連なる各基端部とは反対側の各先端部に対して、補助壁部の周方向に間隔をあけて分断して設けられ、
前記各脚部および各補助壁部は、黄色の内層と黒色の外層との２層構造から成ることを特徴とする電線カバー。
【請求項２】
前記補助壁部は、風をその流れ方向下流側へ導き、空気抵抗を低減させる流線形状を有することを特徴とする請求項１記載の電線カバー。
【請求項３】
カバー本体と各脚部の先端部付近と補助壁部とにわたって、空間が介在されることを特徴とする請求項１または２記載の電線カバー。
【請求項４】
前記補助壁部は、外方からカバー本体に着脱可能に装着されることを特徴とする請求項１〜３のいずれかに記載の電線カバー。
【発明の詳細な説明】
【０００１】
【発明が属する技術分野】
本発明は、電線カバーに関し、さらに詳しくは、架空配電線に電位の異なる物品および人体などが接触して起こる短絡、地絡事故を未然に防ぐために、前記架空配電線に装着される電線カバーに関する。
【０００２】
【従来の技術】
活線工事および建設工事などの現場付近に配置される架空配電線（以後、単に「電線」と略称する）、および風によって近くの建物などに接触するおそれのある電線には、その電線に電位の異なる物品および人体などが接触して起こる短絡、地絡事故を未然に防止するために、電気絶縁性を有する電線カバーが装着される。
【０００３】
図６は、典型的な従来技術である電線カバー１が電線２に装着された状態を示す断面図である。電線カバー１は、略円筒状の形状を有し、かつ１個所が周方向に分断されるカバー本体３と、カバー本体３の周方向両端部４ａ，４ｂ付近に連なってカバー本体３の半径方向外方に一直線状に延びる各脚部５ａ，５ｂとから成る。この電線カバー１は、電気絶縁性を有する合成樹脂などによって実現される。
【０００４】
カバー本体３の周方向両端部４ａ，４ｂは、外力が作用しない自然状態では、カバー本体３の半径方向に相互に重なって配置される。このうち外側に配置される周方向一端部４ａには、一方の脚部５ａの基端部６ａが連なり、また前記周方向他端部４ｂ付近には、他方の脚部５ｂが連なる。各脚部５ａ，５ｂは、前記自然状態では相カバー本体３の周方向に相互に隣接して配置される。
【０００５】
電線カバー１を電線２に装着するときは、たとえば手指を各脚部５ａ，５ｂの先端部７ａ，７ｂ間に差し込んで、各脚部５ａ，５ｂを前記周方向両端部４ａ，４ｂとともに、カバー本体３の弾性回復力に抗して相互に離反する方向へ変位させた状態で、前記先端部７ａ，７ｂ側から電線２を導いて各脚部５ａ，５ｂ間および前記周方向両端部４ａ，４ｂ間を通過させてカバー本体３の内部空間に収容させる。
【０００６】
このようにして電線２に装着される電線カバー１としては、電線２に印加される電圧、すなわち使用電圧よりも大きい耐電圧性能を有するものが選ばれる。より具体的には、電線カバー１は、カバー本体３の周方向他端部４ｂの周方向に沿う長さＬ１と、脚部５ａ，５ｂの長さＬ２との和である沿面距離（Ｌ１＋Ｌ２）が、沿面放電を防ぐために必要な予め定める距離と等しくなるように、または前記予め定める距離よりも大きくなるように、適当な長さＬ２の脚部５ａ，５ｂを有するものが選ばれる。
【０００７】
【発明が解決しようとする課題】
上記した従来の技術では、使用電圧が大きな電線２に対しては、長い脚部５ａ，５ｂを有する電線カバー１を選べばよい。しかしながら脚部５ａ，５ｂが長いと風による影響が大きくなって電線２が振動し易くなり、これによってたとえば電線２の引留碍子との接合部分が金属疲労して破断することがある。したがって長い脚部５ａ，５ｂを有する電線カバー１を用いることは好ましくない。
【０００８】
本発明の目的は、脚部を長くすることなく耐電圧性能が向上する電線カバーを提供することである。
【０００９】
【課題を解決するための手段】
請求項１記載の本発明は、電気絶縁性材料から成り、略円筒状で周方向に分断される中空のカバー本体と、
電気絶縁性材料から成り、カバー本体の周方向両端部付近に連なってカバー本体の半径方向外方に延びる２つの脚部と、
前記カバー本体の接線方向であって、かつ各脚部の延びる方向とほぼ同一の方向に延びる基部と、前記基部に連なり、カバー本体から離反するにつれて相互に近接する方向に、外方に凸に弯曲して形成される遊端部とから成り、かつ電気絶縁性材料から成り、前記カバー本体および各脚部の厚みよりも小さい厚みを有し、少なくともカバー本体と各脚部とが連なる部分を覆う補助壁部とを含み、
前記補助壁部は、前記遊端部において前記基部から最も離反する先端部分が、各脚部において前記カバー本体に連なる各基端部とは反対側の各先端部に対して、補助壁部の周方向に間隔をあけて分断して設けられ、
前記各脚部および各補助壁部は、黄色の内層と黒色の外層との２層構造から成ることを特徴とする電線カバーである。
【００１０】
本発明に従えば、カバー本体と各脚部とが連なる部分は、略円筒状のカバー本体の接線方向であって、かつ各脚部の延びる方向とほぼ同一の方向に延びる基部と、前記基部に連なり、カバー本体から離反するにつれて相互に近接する方向に、外方に凸に弯曲して形成される遊端部とから成る補助壁部によって覆われる。本件発明者は、試験をしてカバー本体と脚部とが連なる部分を補助壁部によって覆うと、耐電圧性能が向上することを確認している。なお、カバー本体と各脚部と補助壁部との間には、空間が介在されてもよく、または電気絶縁性を有する物体が詰まった構成であってもよい。このようにして本発明では、上記した従来技術の電線カバー１と比較して、脚部を長くすることなく耐電圧性能を向上させることができる。
【００１１】
また補助壁部を設けることによって耐電圧性能を向上させることができるので、上記した従来技術の電線カバー１に補助壁部を設けることによって、必要な耐電圧性能を備えさせ、かつ脚部５ａ、５ｂを短くすることも可能である。これによって風による電線の振動をなくして、金属疲労による電線の破断をなくすことができる。
さらに各脚部および各補助壁部が黄色の内層および黒色の外層から成る２層構造であるので、電線に電線カバーを装着した状態で、外部から電線カバーが充分な耐電圧性能が得られない程度に摩耗しているか否かを容易に識別することができる。しかも各補助壁部の厚みはカバー本体および各脚部の厚みよりも小さいため、電線カバーが軽量化し、耐電圧性能が優れた電線カバーを実現することができる。
さらに、補助壁部は、前記遊端部において前記基部から最も離反する先端部分が、各脚部において前記カバー本体に連なる各基端部とは反対側の各先端部に対して、補助壁部の周方向に間隔をあけて分断して設けられるので、電線に装着する作業において、前記各脚部をカバー本体の弾性回復力に抗して相互に離反する方向に開き電線を各脚部間に導く際に、補助壁部が周方向に分断されない構成と比較して脚部を容易に相互に離反させることができる。また電線カバーを電線に装着した状態において、電線カバーは、電線のたるみに応じて容易に変形するので、電線に装着した状態を確実に維持させることができる。
【００１２】
請求項２記載の本発明は、請求項１記載の発明の構成において、前記補助壁部は、風をその流れ方向下流側へ導き、空気抵抗を低減させる流線形状を有することを特徴とする。
【００１３】
本発明に従えば、補助壁部は、流線形の形状を有する。前記流線形とは、空気抵抗を小さくするようにした形のことであり、補助壁部はその表面上の風の流れを下流側へ導く。換言すれば補助壁部は、風の流れに逆らわずに、上流側から下流側へ受け流すような形に形成される。したがって本発明の電線カバーは、前記流線形状の補助壁部が、カバー本体と各脚部とが屈曲して連なる部分を覆うので、上記した従来技術と比較して風による電線の振動をなくし、これによって電線の破断を阻止することができる。
【００１４】
請求項３記載の本発明は、請求項１または２記載の発明の構成において、カバー本体と各脚部の先端部付近と補助壁部とにわたって、空間が介在されることを特徴とする。
【００１５】
本発明に従えば、補助壁部は、カバー本体から各脚部の先端部付近にわたって延び、これによって補助壁部とカバー本体および各脚部との間には空間が介在される。これによって電線カバーの耐電圧性能を、脚部を長くすることなく向上させることができる。また補助壁部を、前記流線形状に形成することによって、脚部が外部に臨んで露出する部分を可及的に少なくし、これによって風による電線破断をなくすことができる。
【００２０】
請求項４記載の本発明は、請求項１〜３のいずれかに記載の発明の構成において前記補助壁部は、外方からカバー本体に着脱可能に装着されることを特徴とする。
【００２１】
本発明に従えば、補助壁部は、カバー本体に装着可能に構成される。したがって従来技術のようなカバー本体と脚部だけの構成の電線カバーに前記補助壁部を装着することによって、耐電圧性能を向上させ、かつこの電線カバーが装着された電線の破断を阻止することができる。
【００２２】
【発明の実施の形態】
図１は、本発明の実施の一形態である電線カバー１１を示す断面図である。電線カバー１１は、略円筒状で周方向に分断されるカバー本体１２と、カバー本体１２の周方向両端部１３，１４にそれぞれ連なり、カバー本体１２の半径方向外方に延びる各脚部１５，１６と、カバー本体１２と各脚部１５，１６とが連なる部分を覆う補助壁部１７，１８とを含んで構成される。カバー本体１２、各脚部１５，１６および各補助壁部１７，１８は、ポリエチレンなどの電気絶縁性を有する合成樹脂によって、一体的に形成される。この電線カバー１１は、電線に金属製の物品が接触して起こる短絡事故を未然に防ぐために用いられる。
【００２３】
前記カバー本体１２は、外力が作用しない自然状態では、周方向両端部１３，１４が長手方向（図１では紙面に垂直な方向）にわたってカバー本体１２の半径方向に相互に積重して配置される。一方の脚部１５は、外側に配置される前記周方向一端部１３に連なり、また他方の脚部１６は、前記内側に配置される周方向他端部１４に連なって形成される。
【００２４】
各脚部１５，１６のカバー本体１２に連なる基端部とは反対側の先端部には、挿入案内部１９，２０がそれぞれ形成される。挿入案内部１９，２０は、カバー本体１２から離反するにつれて相互に離反する方向に拡開する。各挿入案内部１９，２０は、カバー本体１２の半径方向に沿う方向に延びる一仮想平面２９に対して、それぞれ角度θ１，θ２を成して延びる案内面３０を有する。前記角度θ１，θ２は、たとえば４５度にそれぞれ選ばれる。なお各脚部１５，１６の前記基端部から挿入案内部１９，２０までの中間部分は、前記自然状態では、相互に弾発的に当接させてもよく、わずかな隙間をあけて相互に隣接させてもよい。
【００２５】
前記補助壁部１７，１８は、基部２１と遊端部２２とから成る。基部２１は、カバー本体１２の接線方向に延び、また遊端部２２は前記基部２１に連なって、カバー本体１２から離反するにつれて相互に近接する方向に、外方に凸に弯曲して形成される。遊端部２２の前記基部２１から最も離反する先端部分２３は、前記挿入案内部１９，２０の先端部分２４に、補助壁部１７，１８の周方向に間隔Ｌ３をあけて分断される。前記Ｌ３は、たとえば１ｍｍに選ばれる。このように形成される補助壁部１７，１８と、各脚部１５，１６およびカバー本体１２とによって空間２５が規定される。カバー本体１２および各脚部１５，１６の厚みｔ１，ｔ２は、装着すべき電線の使用電圧に対して充分な耐電圧性能、より具体的には、充分な体積絶縁抵抗を有する厚みが適宜選択される。また各補助壁部１７，１８の厚みｔ３は、電線カバー１１の軽量化を図るために、前記カバー本体１２および各脚部１５，１６の各厚みｔ１，ｔ２よりも小さい値に選ばれる場合もある。
【００２６】
電線カバー１１を電線に装着するときは、その電線の外表面に前記挿入案内部１９，２０の各案内面３０を当接させた状態で、カバー本体１２の前記脚部１５，１６が連なる部分とは反対側の周方向中央部を手で押し込む。各案内面３０は前記一仮想平面２９に対してそれぞれ角度θ１，θ２を成して相互に離反する方向に傾斜しているので、各脚部１５，１６を電線の外表面に摺接させつつカバー本体１２の弾性回復力に抗して相互に離反する方向に押し開くことができる。また前記補助壁部１７，１８は、各脚部１５，１６とは周方向に前記間隔Ｌ３をあけて分断して設けられているので、補助壁部１７，１８が周方向に分断されない構成と比較して各脚部１７，１８を容易に相互に離反させることができる。また前記挿入案内部１９，２０の先端部分２４は、丸みを帯びて形成されており、前記電線に押し付ける際、電線の外表面を傷つけるような不具合をなくすことができる。
【００２７】
上記したようにして各脚部１７，１８間に電線を介在させた状態で、さらに電線カバー１１を押し込むことによって電線は脚部１５，１６間を通過し、カバー本体１２の周方向両端部１３，１４間を介して、カバー本体１２の内面３２によって規定される内部空間３３へ導かれる。電線が前記内部空間３３に導かれると、前記カバー本体１２の周方向両端部１３，１４および脚部１５，１６は、カバー本体１２の弾性回復力によって相互に近接する方向に変位する。これによって電線カバー１１が電線から脱落するといった不具合をなくすことができる。
【００２８】
このようにして電線に電線カバー１１を装着した状態では、電線の外表面に電位の異なる物品および人体などが直接接蝕して短絡、地絡事故が起こるといった不具合をなくすことができる。本発明の実施の形態の構成では、補助壁部１７，１８が設けられ、空間２５が規定されるので、上述した従来技術の構成と比較して、電線カバー１１の耐電圧性能を向上させることができる。本件発明者は、電線カバーの外部に露出する表面をアルミ箔で覆い、電線に印加される電圧を徐々に増加させて、短絡が起こる電圧を計測する耐電圧性能試験において、本発明の構成の電線カバーが、補助壁部１７，１８が無い従来技術の構成と比較して、約１．５倍の耐電圧性能を有することを確認している。耐電圧性能は、空間２５の体積が大きいほど向上する。本発明の実施の形態では、補助壁部１７，１８は、脚部１５，１６の延びる方向とほぼ同一の方向に延びる基部２１が設けられるので、空間２５を基部２１が設けられない構成と比較して大きくすることができる。
【００２９】
また本発明の実施形態では、補助壁部１７，１８は、風をその流れ方向下流側に導くように形成されている。たとえば、矢符Ａ１で示される方向に吹く風は、矢符Ａ２で示される電線カバー１１の上方を通過する方向に導かれる風と、矢符Ａ３で示される一方側（図１では左側）の補助壁部１８の表面に沿い、電線カバー１１の下方を通過する方向に導かれる風とに分断される。矢符Ａ２方向の風は、カバー本体１２の略円筒状の上部表面に沿い、矢符Ａ４で示される方向に導かれる。また矢符Ａ３で示される風は、電線カバー１１の下部を通過し矢符Ａ５で示される方向に通過する。このとき矢符Ａ５で示される風は、他方側（図１では右側）の補助壁部１７によって、伴流による負圧がむやみに大きくならないように前記矢符Ａ１方向にほぼ同一方向に導かれるので、電線カバー１１の空気抵抗を少なくし、これによって電線が振動して破断するといった不具合をなくすことができる。
【００３０】
また電線カバー１１では電線に装着された状態において、降雨があった場合、雨水は、各補助壁部１７，１８の外表面に沿って下部へ導かれる。補助壁部１７，１８の先端部分２３と、挿入案内部１９，２０の先端部分２４は、間隔Ｌ３をあけて設けられているので、雨水は挿入案内部１９，２０には導かれず、重力によって下方へ落下する。これよって前記間隔Ｌ３が設けられない構成と比較して、雨水が前記接合部２８から毛細管現象によって脚部１５，１６間を通過し、さらに前記周方向両端部１３，１４間を介して電線が収容される内部空間３３に導かれるといった不具合をなくすことができる。
【００３１】
またカバー本体１２、各脚部１５，１６および補助壁部１７，１８は、それぞれ内層と外層とから成る２層構造を有する。前記内層は、黄色に着色され、外層は黒色に着色される。これによって電線カバー１１が、充分な耐電圧性能が得られない程度に摩耗してるか否かを、電線に装着された状態で外部から容易に識別することができる。また電線カバー１１の外表面は、たとえば緑色に着色することによって美観を向上させることができ、赤と白とを交互に配色することによって、パラグライダのパイロットなどに電線カバー１１を容易に識別させることができる。
【００３２】
図２は、電線カバー１１の側面図である。なお上記した図１は、破断面線Ｉ−Ｉから見た断面図である。電線カバー１１の長手方向両端部には、それぞれ雄形端体３８および雌形端体３９が設けられる。雄形端体３８および雌形端体３９は、ポリエチレンなどの電気絶縁性を有する合成樹脂によって形成され、電線カバー本体部３７に溶着などの手段によって一体的に接合される。雄形端体３８および雌形端体３９は、それぞれ前記補助壁部１７，１８に連なる端体補助壁部４０，４１をそれぞれ有する。雄形端体３８は、雌形端体３９の内孔に挿入可能に構成される。電線カバー１１は、長手方向長さＬ４を有する。前記長手方向長さＬ４は、たとえば３ｍに選ばれる。電線に金属製の物品が接触して起こる短絡事故を未然に防ぐためには、電線の長手方向に沿って電線カバー１１を連ねて装着する必要があるけれども、本実施の形態の電線カバー１１は、その一方端部に設けられる雄形端体３８を隣接する電線カバー１１の雌形端体３９に挿入することによって、電線の長手方向に容易に連ねることができる。また電線カバー１１は、前記補助壁部１７，１８が、各脚部１５，１６に電線カバー１１の周方向に分断するように配置されているので、より具体的には各先端部分２３，２４が相互に間隔Ｌ３をあけて配置されているので、電線カバー１１に上記した従来技術の電線カバー１と同様の可撓性能を持たせることができ、電線カバー１１を電線のたるみになじませて装着することが可能である。これによって電線カバー１１を電線に装着した状態を長期にわたって維持させることができる。
【００３７】
図３は、本発明の実施のさらに他の形態である電線カバー４８を示す断面図である。なお電線カバー４８は、上記した各実施形態に類似し、対応する部分には同一の参照符を付し説明は省略する。
【００３８】
電線カバー４８のカバー本体１２の周方向中央部にはヒンジ部４９が設けられる。ヒンジ部４９は、カバー本体１２の前記厚みｔ１よりも大きな厚みｔ４と切欠き５４とを有しており、これによってカバー本体１２は矢符Ａ６，Ａ７で示される方向に開閉自在に構成される。各脚部１５，１６の前記カバー本体１２に連なる部分の近傍には係止爪５０，５１が設けられる。これら各係止爪５０，５１を図３に実線に示すように相互に嵌合させることによって、前記カバー本体１２の矢符Ａ６，Ａ７方向への変位を阻止することができる。
【００３９】
このように構成される電線カバー４８では、上記した各実施形態と比較して、電線への装着作業を容易に行うことができる。これによってたとえば電線カバー装着ロボットなどを用いて容易に電線に装着することができる。また各脚部１５，１６の先端部５２，５３は、上記した各実施形態と比較して、電線を容易に挿入するための挿入案内部１９，２０が設けられない構成となっている。したがって電線カバー４９を電線に装着した状態において、風が前記挿入案内部１９，２０に流入して伴流による負圧が過大となって電線が振動するといった不具合をなくすことができる。
【００４０】
図４は、本発明の実施のさらに他の形態である電線カバー５５を示す断面図である。この電線カバー５５は、上述した実施形態に類似し、対応する部分には同一の参照符を付し説明は省略する。
【００４１】
本実施形態の電線カバー５５では、各脚部５６，５７がカバー本体１２の半径方向に沿う前記一仮想平面２９に対して角度θ４を成して数回一方側（図４の右側）および他方側（図４では左側）へ屈曲して設けられる。前記角度θ４はたとえば４５度に選ばれる。
【００４２】
このように各脚部５６，５７が屈曲して形成される電線カバー５５では、上記した電線カバー１１，４３，４６，４８のような脚部がカバー本体１２の半径方向に一直線状に延びる構成と比較して、沿面距離を長く確保することができる。すなわち耐電圧性能を向上させることができる。また換言すれば、必要な耐電圧性能を備えさせ、かつ脚部５６，５７の前記半径方向に沿う長さＬ５を上記した各実施形態と比較して短くすることができる。すなわち電線カバー５５の小形化を図ることが可能であり、これによって前記風よる影響を小さくして、電線の振動を抑え、電線破断を防ぐことができる。
【００５３】
図５は、本発明の実施のさらに他の形態である電線カバー６９を示す断面図である。本実施形態の電線カバー６９は、上記した電線カバー６５に類似し、対応する部分には同一の参照符を付し説明は省略する。
【００５４】
電線カバー６９では、軸直角断面が略Ｃ字状の補助壁部７０を、上記した従来形電線カバー部６５ａに装着する。補助壁部７０は、周方向に分断された略Ｃ字状に形成され、その周方向両端部７１，７２間の長さは、カバー本体１２の周方向長さよりも小さく形成される。補助壁部７０は、たとえばポリエチレンによって実現され、可撓性を有する。また補助壁部７０は、少なくともカバー本体１２を外方から覆うことができる内部空間を有する。
【００５５】
このように形成される補助壁部７０を従来形電線カバー部６５ａに装着するときは、各周方向両端部７１，７２間から前記カバー本体１２を内部空間７３に導くように頂部から嵌め込んで装着する。補助壁部７０を装着した状態では、補助壁部７０と従来形電線カバー部６５ａとの間に空間７４が介在されるので、耐電圧性能を向上させ、かつ補助壁部７０は風をその流れ方向下流側へ導き、空気抵抗を低減させる流線形状を有するので、空気抵抗による風の影響を抑え、電線の破断を防ぐことができる。また上記した実施形態の補助壁部６６，６７と比較して、接着など従来形電線カバー部６５ａに装着するための手段を省略することが可能なので、前記補助壁部７０の装着作業は容易に行うことができる。
【００５６】
上記した本発明の実施の各形態の電線カバーにおいて、補助壁部の表面に、各電線カバーの周方向に延び、かつ風を導くリブを設けてもよく、あるいは風を乱す、たとえばゴルフボールの表面に設けられるディッピングと呼ばれる凹みを設けてもよい。このように各補助壁部の表面に、風を導くための、あるいは風の流れを乱すためのリブまたはディッピングを設けることによって、電線カバーの空気流れに対する抵抗値をさらに小さくし、電線の破断をなくすこともできる。また上記した各実施形態において、ポリエチレンを用いているので、電気絶縁性の他に難燃性を持たせることができるけれども本発明の構成では、ポリエチレンに限定されることはなく、たとえばポリプロピレンであってもよい。
【００５７】
また本発明の構成では、カバー本体１２および各脚部と補助壁部との間に介在される空間には空気が存在するので、耐電圧性能を向上させ、材料使用量を少なくして軽量でかつ安価な電線カバーを実現することができる。しかしながら本発明の構成では、空気に限定されることはなく、たとえば絶縁性を有するウレタンフォームなどの物質を詰める構成であってもよい。また本発明の電線カバーを装着する対象として架空配電線を想定していたけれども、これに限定されることはなく、本発明を電柱付近に設けられ、架空配電線間に接続する縁回し電線を覆う、可撓性を有する蛇腹形電線カバーに適用してもよい。
【００５８】
【発明の効果】
請求項１記載の本発明によれば、カバー本体と各脚部とが連なる部分は、略円筒状のカバー本体の接線方向であって、かつ各脚部の延びる方向とほぼ同一の方向に延びる基部と、前記基部に連なり、カバー本体から離反するにつれて相互に近接する方向に、外方に凸に弯曲して形成される遊端部とから成る補助壁部によって覆われるので上記した従来技術の電線カバー１と比較して、脚部を長くすることなく耐電圧性能を向上させることができる。
【００５９】
また補助壁部を設けることによって耐電圧性能を向上させることができるので、上記した従来技術の電線カバー１に補助壁部を設けることによって、必要な耐電圧性能を備えさせ、かつ脚部５ａ、５ｂを短くすることも可能である。これによって風による電線の振動をなくして、金属疲労による電線の破断をなくすことができる。
このような電線カバーは、脚部および補助壁部が２層構造とされるので、耐電圧性能が摩耗によって低下したことを外部から容易に識別することができる。また補助壁部はカバー本体および脚部に比べて厚みが小さいので、軽量で耐電圧性能に優れた電線カバーを実現することができる。
補助壁部は、前記遊端部において前記基部から最も離反する先端部分が、各脚部において前記カバー本体に連なる各基端部とは反対側の各先端部に対して、補助壁部の周方向に間隔をあけて分断して設けられるので、電線に装着する作業において、前記各脚部をカバー本体の弾性回復力に抗して相互に離反する方向に開き電線を各脚部間に導く際に、補助壁部が周方向に分断されない構成と比較して脚部を容易に相互に離反させることができる。また電線カバーを電線に装着した状態において、電線カバーは、電線のたるみに応じて容易に変形するので、電線に装着した状態を確実に維持させることができる。
【００６０】
請求項２記載の本発明によれば、補助壁部は、風の流れに逆らわずに、上流側から下流側へ受け流すような形に形成されカバー本体と各脚部とが屈曲して連なる部分を覆うので、上記した従来技術と比較して、風による電線の振動をなくし、これによって電線の破断を阻止することができる。
【００６１】
請求項３記載の本発明によれば、補助壁部は、カバー本体から各脚部の先端部付近にわたって延び、これによって補助壁部とカバー本体および各脚部との間には空間が介在されるので電線カバーの耐電圧性能を、脚部を長くすることなく向上させることができる。また補助壁部を、前記流線形状に形成することによって、脚部が外部に臨んで露出する部分を可及的に少なくし、これによって風による電線破断をなくすことができる。
【００６４】
請求項４記載の本発明によれば、補助壁部は、カバー本体に装着可能に構成されるので従来技術のようなカバー本体と脚部だけの構成の電線カバーに前記補助壁部を装着することによって、耐電圧性能を向上させ、かつこの電線カバーが装着された電線の破断を阻止すること可能となる。
【図面の簡単な説明】
【図１】  本発明の実施の一形態である電線カバー１１を示す断面図である。
【図２】  電線カバー１１の左側面図である。
【図３】  本発明の実施のさらに他の形態である電線カバー４８を示す断面図である。
【図４】  本発明の実施のさらに他の形態である電線カバー５５を示す断面図である。
【図５】  本発明の実施のさらに他の形態である電線カバー６９を示す断面図である。
【図６】  典型的な従来技術である電線カバー１を示す断面図である。
【符号の説明】
１１，４８，５５，６９  電線カバー
１２ カバー本体
１３，１４  周方向両端部
１５，１６，５６，５７  各脚部
１７，１８，７０  補助壁部
２４  先端部分
２５，７４  空間
【図１】
0004114973.tif 000002
【図２】
0004114973.tif 000003
【図３】
0004114973.tif 000004
【図４】
0004114973.tif 000005
【図５】
0004114973.tif 000006
【図６】
0004114973.tif 000007